(57)【要約】【課題】両ハウジング間のがた付きを防止した上で、構成の複雑化を回避すると共に、嵌合操作力の増加を阻止する。【解決手段】第２ハウジング２０は、第１ハウジング１０のフード部１１内に嵌合可能なハウジング本体２１を有すると共に、このハウジング本体２１の外面から立ち上がってハウジング本体２１の周りを取り囲み、かつハウジング本体２１との間にフード部１１の組付空間３０を形成する嵌合筒部２２を有する。第１ハウジング１０と前記第２ハウジング２０が嵌合状態にある場合に、電線カバー６０が第２ハウジング２０に取り付けられると、電線カバー６０の突部６１がフード部１１と嵌合筒部２２との間に突入してフード部１１をハウジング本体２１側に押し付け可能となっている。【選択図】図１
2009181933.tif 000002
【特許請求の範囲】
【請求項１】
フード部を有する第１ハウジングと、
前記フード部内に嵌合可能なハウジング本体を有すると共に、このハウジング本体の外面から立ち上がって前記ハウジング本体の周りを取り囲み、かつ前記ハウジング本体との間に前記フード部の組付空間を形成する嵌合筒部を有する第２ハウジングと、
前記第２ハウジングに取り付けられ、その取り付けに伴い前記嵌合筒部を貫通して前記組付空間内に進入する突部を有すると共に、前記第２ハウジングに所定の機能を付与するコネクタ取付部材とを備え、
前記第１ハウジングと前記第２ハウジングが嵌合状態にある場合に、前記コネクタ取付部材が前記第２ハウジングに取り付けられると、前記突部が前記フード部と前記嵌合筒部との間に突入して前記フード部を前記ハウジング本体側に押し付け可能となっていることを特徴とするコネクタ。
【請求項２】
前記コネクタ部材は、前記ハウジング本体の後面から導出される電線を所定の向きに強制する電線カバーである請求項１記載のコネクタ。
【請求項３】
前記ハウジング本体と前記フード部との間には弾性のシール部材が介挿され、このシール部材は前記突部の前記フード部への押し付け方向と対向する位置に設けられている請求項１又は２記載のコネクタ。
【発明の詳細な説明】
【技術分野】
【０００１】
本発明は、コネクタに関する。
【背景技術】
【０００２】
特許文献１に記載のコネクタは、互いに嵌合可能な第１ハウジング及び第２ハウジングを備えている。第１ハウジングは筒状のフード部を有し、第２ハウジングはハウジング本体を有すると共に、ハウジング本体の外面から立ち上がってこのハウジング本体の周りを取り囲む嵌合筒部を有している。嵌合筒部とハウジング本体との間は両ハウジングの嵌合に伴ってフード部が進入するフード部の組付空間とされている。そして、フード部の外面には基台が立ち上げて形成され、基台の上端には被係止部が形成されている。嵌合筒部の内面には係止部が左右に横切って装着可能とされている。両ハウジングの嵌合後に、係止部を進出させて被係止部に係合させると、被係止部が係止部の凹所内に挟持された状態となる。これにより、両ハウジングが嵌合方向にがた詰めされた状態でロックされ、もって雌雄の端子金具の接触部分の摩耗が防止されるようになっている。
【特許文献１】特開２００５−５０３７公報（第１２図）
【発明の開示】
【発明が解決しようとする課題】
【０００３】
上記の場合、係止部ががた詰め用の専用部材であるため、その分、構成が複雑になると共に、部品管理も煩わしいという事情がある。
一方、従来より、フード部の内面とハウジング本体の外面のいずれか一方に、がた詰め用の複数の突起を設け、両ハウジングの嵌合時にフード部の内面とハウジング本体の外面との間で各突起を潰すような設定とすることにより、嵌合状態にある両ハウジングのがた付きを抑える方法も知られている。これによれば、構造が格別複雑になることはないが、両ハウジングの嵌合途中で各突起が潰れるため、嵌合操作力の増加を招くという事情がある。
【０００４】
本発明は上記のような事情に基づいて完成されたものであって、両ハウジング間のがた付きを防止した上で、構成の複雑化を回避すると共に、嵌合操作力の増加を阻止することを目的とする。
【課題を解決するための手段】
【０００５】
上記の目的を達成するための手段として、請求項１の発明は、フード部を有する第１ハウジングと、前記フード部内に嵌合可能なハウジング本体を有すると共に、このハウジング本体の外面から立ち上がって前記ハウジング本体の周りを取り囲み、かつ前記ハウジング本体との間に前記フード部の組付空間を形成する嵌合筒部を有する第２ハウジングと、前記第２ハウジングに取り付けられ、その取り付けに伴い前記嵌合筒部を貫通して前記組付空間内に進入する突部を有すると共に、前記第２ハウジングに所定の機能を付与するコネクタ取付部材とを備え、前記第１ハウジングと前記第２ハウジングが嵌合状態にある場合に、前記コネクタ取付部材が前記第２ハウジングに取り付けられると、前記突部が前記フード部と前記嵌合筒部との間に突入して前記フード部を前記ハウジング本体側に押し付け可能となっている構成としたところに特徴を有する。
【０００６】
請求項２の発明は、請求項１に記載のものにおいて、前記コネクタ部材は、前記ハウジング本体の後面から導出される電線を所定の向きに強制する電線カバーであるところに特徴を有する。
【０００７】
請求項３の発明は、請求項１又は２に記載のものにおいて、前記ハウジング本体と前記フード部との間には弾性のシール部材が介挿され、このシール部材は前記突部の前記フード部への押し付け方向と対向する位置に設けられているところに特徴を有する。
【発明の効果】
【０００８】
＜請求項１の発明＞
第１ハウジングと第２ハウジングが嵌合状態にある場合に、コネクタ取付部材が第２ハウジングに取り付けられると、突部がフード部と嵌合筒部との間に突入してフード部をハウジング本体側へ押し付け可能となっているから、フード部とハウジング本体との間にがた付きが生じるのを抑えることができる。また、コネクタ取付部材はがた詰め用の専用部材ではなく第２ハウジングに所定の機能を付与する作用を持ち合わせているから、その分、部品点数を減らすことができ、構成が複雑になるのを回避できる。さらに、コネクタ取付部材が両ハウジングの嵌合後に取り付け可能とされるから、両ハウジングの嵌合動作に影響を及ぼすことはなく、嵌合操作力が大きくなるのを阻止できる。
【０００９】
＜請求項２の発明＞
コネクタ部材が電線カバーであるため、コネクタ部材の第２ハウジングへの取り付けに伴い、電線の向きが強制されると同時に、両ハウジング間のがた付きが防止され、作業効率に優れる。
【００１０】
＜請求項３の発明＞
ハウジング本体とフード部との間に弾性のシール部材が介挿され、このシール部材が突部のフード部への押し付け方向と対向する位置に設けられているため、フード部と嵌合筒部との間に突部が突入したときに、フード部がシール部材を弾縮させつつハウジング本体側へ移動可能となる。したがって、突部による押し付け力がシール部材の弾縮によって吸収され、コネクタ取付部材の取り付けに要する力が低減されて、作業性が向上する。
【発明を実施するための最良の形態】
【００１１】
＜実施形態１＞
本発明の実施形態１を図１及び図２によって説明する。本実施形態のコネクタは、互いに嵌合可能な第１ハウジング１０及び第２ハウジング２０を備え、第２ハウジング２０に別体の電線カバー６０が取り付けられる構成とされる。第１ハウジング１０、第２ハウジング２０及び電線カバー６０はいずれも合成樹脂製である。なお、以下の説明において前後方向については両ハウジング１０，２０の嵌合面側を前方とし、上下方向については各図を基準とする。
【００１２】
第１ハウジング１０は、図２に示すように、雄側端子金具９０を装着可能な雄型コネクタハウジングとされ、筒状のフード部１１を有している。フード部１１内には雄側端子金具９０のタブ９１が突出状態で配置されている。フード部１１の上壁の上面先端部にはロック突部１２が設けられている。
【００１３】
第２ハウジング２０は、前後方向に細長いブロック状のハウジング本体２１とハウジング本体２１の外側に位置する筒状の嵌合筒部２２とを有している。また、嵌合筒部２２は、ハウジング本体２１の外面から外向きに立ち上がる連結部２２ａと、連結部２２ａの外端に連なってハウジング本体２１の周りを取り囲む包囲部２２ｂとからなる。嵌合筒部２２とハウジング本体２１との間は、両ハウジング１０，２０の嵌合に伴って前方からフード部１１が進入するフード部１１の組付空間３０とされる。
【００１４】
嵌合筒部２２の下側には、連結部２２ａの下側が下方に延長されると共に包囲部２２ｂが下方へ膨らみ出るようにして膨出部２３が設けられている。連結部２２ａの下側には、電線カバー６０の突部６１（後述する）が挿通可能な取付孔２４が前後方向に貫通して形成されている。取付孔２４の後面は連結部２２ａの後面に開口し、取付孔２４の前面は膨出部２３内の組付空間３０に臨むようにして連結部２２ａの前面に開口している。
【００１５】
ハウジング本体２１には雌側端子金具８０を挿入可能なキャビティ２５が前後方向に貫通して形成されている。キャビティ２５の下壁には雌側端子金具８０を抜け止めするためのランス２６が撓み可能に設けられている。また、ハウジング本体２１には前方からフロントリテーナ７０が組み付けられ、ランス２６の係止突部２６ａの前方がフロントリテーナ７０で覆われると共に、ランス２６の撓み空間にフロントリテーナ７０の撓み規制片７１が進入してランス２６の撓み動作が規制され、もって雌側端子金具８０が２重係止されるようになっている。
【００１６】
ハウジング本体２１の外面には段差２７が設けられ、この段差２７を境とする前方領域が後方領域よりも一段低くなっている。そして、ハウジング本体２１の外面には、段差２７の直前方でかつフロントリテーナ７０の直後方に、弾性のシールリング７５が嵌着されている。シールリング７５の下側領域は膨出部２３内の組付空間３０に臨むように配置され、シールリング７５の上側領域はロック突部１２とロックアーム２８（後述する）との係止部位に臨むように配置されている。両ハウジング１０，２０が嵌合状態にあるときには、シールリング７５がフード部１１の内面とハウジング本体２１の外面とに密着させられ、これにより、両ハウジング１０，２０間が水密状にシールされるようになっている。
【００１７】
ここで、雌側端子金具８０は前側に箱部８１を有すると共に後側にバレル部８２を有する周知の形態であり、バレル部８２は電線１００の端末にかしめ付けにより接続されている。箱部８１内には雄側端子金具９０のタブ９１と接触可能な弾性接触片８３が撓み可能に設けられている。電線１００の外周面にはシール栓７７が嵌着されており、このシール栓７７がバレル部８２のかしめ付けによって雌側端子金具８０に保持されている。シール栓７７の外周面は雌側端子金具８０のキャビティ２５内への挿入によってキャビティ２５の内周面に密着させられ、これにより、第２ハウジング２０内が水密状にシールされるようになっている。
【００１８】
ハウジング本体２１の上面（膨出部２３が形成される側とは反対側面）には、両ハウジング１０，２０が正規嵌合されるに伴ってロック突部１２と係止可能なロックアーム２８が設けられている。ロックアーム２８は、ハウジング本体２１の上面から立ち上がる脚部２８ａと、脚部２８ａの上端から前後両方向に延びるアーム本体部２８ｂとからなり、脚部２８ａを支点としてアーム本体部２８ｂが上下方向（両ハウジング１０，２０の嵌合方向と直交する方向）に揺動変位可能（弾性変位可能）となっている。脚部２８ａと連結部２２ａは前後方向についてほぼ同位置に設置されている。アーム本体部２８ｂには前後方向に延びて後端に開口するロック溝２８ｅが設けられている。また、包囲部２２ｂのうち、ロックアーム２８の上方と対向する部分には、ロックアーム２８を露出させる切欠部２２ｅが後方に開口して形成されている。ロック突部１２とロックアーム２８が係止状態にあるときに、切欠部２２ｅを通してアーム本体部２８ｂの後端部に指を宛がい、その状態で下向きに押圧操作することにより、ロック突部１２とロックアーム２８の係止状態が解除されるようになっている。
【００１９】
電線カバー６０は、ハウジング本体２１の後面から導出される電線１００の向きを所定方向（図示する場合は下方）に規定するものであり、全体としてキャップ状をなしている。そして、電線カバー６０は、図２に示すように、ハウジング本体２１の後面と間隔をあけて対向する位置にあって電線１００を下方へ強制的に屈曲させる縦壁状の電線押さえ部６１と、電線押さえ部６１の側縁から前方へ突出して第２ハウジング２０に弾性係止可能な取付部６２と、電線押さえ部６１の下縁から前方へ突出する突部６１とからなる。突部６１は取付部６２より突出長さが長く、突部６１の前端は取付部６２の前端より前方に位置している。そして、突部６１は、両ハウジング１０，２０が嵌合状態にあるときに、第２ハウジング２０の取付孔２４に後方から挿通され、さらに膨出部２３内の組付空間３０内に進入してフード部１１の外面及び嵌合筒部２２（膨出部２３）の内面に当接可能となっている。
【００２０】
次に、本実施形態の作用を説明する。
まず、第２ハウジング２０にシールリング７５及びフロントリテーナ７０を組み付ける。そして、第２ハウジング２０のキャビティ２５内に、シール栓７７を装着した電線１００付きの雌側端子金具８０を挿入し、シール栓７７によってキャビティ２５内を水密状となす。
【００２１】
続いて、第１ハウジング１０に第２ハウジング２０を正対させ、その状態で第１ハウジング１０のフード部１１内に第２ハウジング２０のハウジング本体２１を挿入して嵌合する。ハウジング本体２１がフード部１１の奥面に当接する位置に至ると、ロック突部１２がロックアーム２８のロック溝２８ｅに弾性的に嵌り、両ハウジング１０，２０が離脱規制状態で保持される。こうして両ハウジング１０，２０が正規嵌合されると、第１ハウジング１０の雄側端子金具９０と第２ハウジング２０の雌側端子金具８０が正規深さで接続され、両端子金具８０，９０間の導通がとられる。また、フード部１１とハウジング本体２１との間にシールリング７５が弾縮状態で介挿されることにより、両ハウジング１０，２０間を水密状となす。
【００２２】
上記の状態で、第２ハウジング２０に後方から電線カバー６０を取り付ける。図２に示すように、電線カバー６０の取り付けに伴い、電線１００が電線押さえ部６１によって下方へ屈曲されると共に、突部６１が取付孔２４を通して組付空間３０内に進入し、突部６１がフード部１１と嵌合筒部２２（膨出部２３）との間に分け入るように突入する。すると、ハウジング本体２１と嵌合筒部２２（膨出部２３）との間に、シールリング７５、フード部１１及び突部６１が上下方向（両ハウジング１０，２０の嵌合方向と直交する方向）に積層状態で並び合う。また、フード部１１と嵌合筒部２２（膨出部２３）との間隙が突部６１の厚み分だけ押し広げられ、フード部１１がハウジング本体２１側へ押し付けられる。この場合、フード部１１の変位量はシールリング７５の弾縮量として吸収される。そして、フード部１１は、ハウジング本体２１側への押し付けによりフロントリテーナ７０とシールリング７５とに外側から密着させられ、第１ハウジング１０と第２ハウジング２０が上下方向（両ハウジング１０，２０の嵌合方向と直交する方向）にがた付くのが抑えられる。
【００２３】
以上説明したように本実施形態によれば、電線カバー６０の第２ハウジング２０への取り付けに伴い、両ハウジング１０，２０間のがた付きが抑えられるから、電線カバー６０とは別に専用のがた詰め用部材を設ける場合に比べ、部品点数を減らすことができ、コネクタの構成を簡素化できる。また、電線カバー６０を両ハウジング１０，２０の嵌合後に取り付けることにより、両ハウジング１０，２０の嵌合動作に影響を及ぼすことがないため、両ハウジング１０，２０の対向面間にがた詰め用の突起を設けるの場合と異なり、両ハウジング１０，２０の嵌合操作力が大きくなることはない。そして、電線カバー６０の取り付けにより、電線１００の方向規定と両ハウジング１０，２０間のがた付き防止を一挙に達成できるから、作業効率に優れる。
【００２４】
また、ハウジング本体２１とフード部１１との間にシールリング７５が介挿され、このシールリング７５が突部６１のフード部１１への押し付け方向と対向する位置に設けられているため、フード部１１がハウジング本体２１側へ押し付けられたときに、突部６１による押し付け力がシールリング７５によって吸収される。したがって、電線カバー６０の取り付けに要する力が低減され、作業性が向上する。また、ハウジング本体２１と嵌合筒部２２との間の厳密なギャップ管理を行わずに済む。
【００２５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）突部を有する部材は電線カバーに限らず、第２ハウジングに所定の機能（がた詰め防止に関与する機能以外の機能であって、例えば、コネクタの嵌合動作に関与する機能、端子金具の保持に関与する機能、コネクタの防水性に関与する機能）を付与するものであればよい。例えば、ハウジング本体の後面に一括シール栓が密着される場合に、そのシール栓の抜け止めをなすシール栓押さえが突部を有するものであってもよい。また、ハウジング本体に組み付けられて端子金具の抜け止めをなすリテーナが突部を有するものであってもよい。さらに、両ハウジングが正規の嵌合状態にあるか否かを検知する嵌合検知部材が突部を有するものであってもよい。
（２）本発明は非防水タイプのコネクタにも適用可能である。
【図面の簡単な説明】
【００２６】
【図１】本発明の実施形態１のコネクタの側断面図
【図２】嵌合前の両ハウジングの側断面図
【符号の説明】
【００２７】
１０…第１ハウジング
１１…フード部
２０…第２ハウジング
２１…ハウジング本体
２２…嵌合筒部
２４…取付孔
３０…組付空間
６０…電線カバー
６１…突部
７５…シールリング（シール部材）
【図１】
2009181933.tif 000003
【図２】
2009181933.tif 000004